(57)【要約】      （修正有）【課題】従来の短針・長針による時刻指示、短針・長針の動きに併せた液晶表示による時刻指示、数字の桁上げによる時刻指示より脱却し新しい形式での時刻指示を行うものである。【解決手段】イラスト・絵画・写真・漫画・コンピュータグラフィクス・その他静止画もしくは動画の表示により時間、分の時刻指示を行うものである。表示は、カラー液晶機、カラーモニター、ＯＬＥＤ表示機、ＬＥＤランプの集合によるもの、その他表示が容易な機器にて行う。それら表示機の大きさにより柱時計、卓上時計、腕時計、損田時計全般に使用できる。表示品目の選択、表示数、表示形態を変更することにより、使用者独自の時刻表示形態の設定が可能となる。【選択図】図１
0003123475.tif 000002
【実用新案登録請求の範囲】
【請求項１】
映画・テレビ・漫画のキャラクタ画やそのイラスト・静止画・動画、絵画、人・動物・家具・家・自然・植物・星・その他あらゆるコマーシャル製品の写真・静止画・動画・イラストの表示のみにより時刻を指示する。
【請求項２】
表示品目選択が可能。表示形態も選択可能。
【考案の詳細な説明】
【技術分野】
【０００１】本考案は、柱時計、卓上時計、腕時計、その他時計全般の時刻指示方式に関する。
【背景技術】
【０００２】従来の時計は、短針・長針により時刻を指示するもの、または、数字により時刻を指示するものが大半である。【０００３】よって、従来の時刻指示は、回転式もしくは数字の桁上げ方式による。【０００４】なお、本考案に関連する公知技術として次の特許文献１を挙げることができる。【０００５】
【特許文献１】特許公表平６−２８９１６９
【考案の開示】
【考案が解決しようとする課題】
【０００６】上述の如く、従来の時計は短針・長針により時刻指示をしたり、液晶表示上に短針・長針を表示し時刻指示をしたり、短針・長針の動きに併せて液晶表示が動作する方式が取られている。よって、短針・長針の存在や同様の表示なくしては、時刻指示が難しい。また、これらの場合、時刻指示は回転方式によるものである。【０００７】また、時刻指示が回転方式以外のものに、数字表示方式がある（一般にデジタル方式と言われる）。これは、時間・分を数字で表示し、時間に併せて数字の桁が上がるというものである。【０００８】本考案は、短針・長針による時刻指示、短針・長針の動きに併せた液晶表示による時刻指示、数字の桁上げによる時刻指示、を脱却し新しい形式での時刻指示を行うものである。
【課題を解決するための手段】
【０００９】本考案は、あらゆる品目の静止画・動画・もしくはその両方の表示のみにより、時間、分の時刻指示を行うものである。【００１０】品目は、映画・テレビ・漫画・その他のキャラクター画・イラスト・その他静止画と動画、その他地球上の動植物・すべての現存物体、また宇宙を含む仮想物体であり、その写真・イラスト・絵画・その他静止画と動画を示す。表示は、ＬＥＤランプの集合によるもの、カラー液晶機、カラーモニター、ＯＬＥＤ表示機、その他カラーおよび白黒表示が容易な機器にて行う。それら表示機の大きさにより柱時計、卓上時計、腕時計、その他時計全般に使用できる。
【考案の効果】
【００１１】写真、イラスト、漫画その他使用者の好みの静止画もしくは動画にて時計表示構成が可能となる。よって、時計としてだけでなく、ポートレート、キャラクターグッズ、思い出グッズ、インテリア品としての使用も可能となる。【００１２】従来の時刻指示方式とことなるため、使用者とその時刻読み取り方式を知る者のみ時刻を知ることとなる。
【考案を実施するための最良の形態】
【００１３】以下、本考案の実施形態を図例に基づき詳細に説明する。【００１４】図１は、イラストによる時刻指示例を示している。図例の最上部中央のイラストが０時、その右隣のイラストが１時、その下のイラストが２時、またその下のイラストが３時と、時計方向に時間毎に順次イラストが示されている。【００１５】図中央の大きなイラストが上下２つある。その上部のイラストが現在の時間、その下部イラストが現在の分の時刻を指示している。それら現在の時間と分を指示するイラストがその周囲のどのイラストかで時間と分を読み取る。図例の場合、上部のイラストが周囲３時のイラストと同じのため、時間は３時となる。また、下部のイラストが周囲１１時のイラストと同じのため、分は５５分となる。よって、現時刻は３時５５分となる。１時間毎に中央上部のイラストが、また、５分毎に中央下部のイラストが変わる。【００１６】図２は、上部の６つの小イラストが左から０時から５時までの１時間毎を示している。また、下部の６つの小イラストが左から６時から１１時までの１時間毎を示している。そして中央の大きな２つのイラストのうち、左側が時間、右側が分を示している。それら現在の時間と分を指示するイラストがその上下にある小イラストのどのイラストと同じかで時間と分を読み取る。図例の場合、左側のイラストが上部３時のイラストと同じのため、時間は３時となる。また、右側のイラストが下部１１時と同じイラストのため分は５５分となり、現時刻は３時５５分となる。１時間毎に中央右側のイラストが、また、５分毎に中央左側のイラストが変わる。【００１７】以上、本考案実施の形態を図例にて説明したが、本考案の範囲はこれに限定されるものではない。例えば、図１の中央の上下の大きなイラストをなくし、周囲１２のイラストのみとし、現時間を示すイラストに赤枠を、現分を示すイラストに青枠を付加することにより、それだけで時間と分を指示可能となる。その場合、中央部は別の目的に使用できる。このように、表示形態、表示品目の構成により時刻の読み取りを変えることができる。
【産業上の利用可能性】
【００１８】映画・テレビ・漫画のキャラクターその他好みの写真・イラスト静止画・動画、を時刻指示品目として利用でき、従来の時間指示をするだけの時計概念が変わり、その利用方法、使用場所も拡大される。【００１９】独自の表示形態と表示品目の選択設定により、設定者とその仕組みを理解している者のみが指示時刻を理解できることになり、時刻を知られたくない環境での使用が可能である。
【図面の簡単な説明】
【００２０】
【図１】絵時計の表示図例。中央の大きな上下イラストが時間と分を示す。３時５５分を示す。
【図２】色時計の表示図例。中央の大きな左右のイラストが時間と分を示す。３時５５分を示す。
【図１】
0003123475.tif 000003
【図２】
0003123475.tif 000004
【手続補正書】
【提出日】平成18年5月15日(2006.5.15)
【手続補正１】
【補正対象書類名】実用新案登録請求の範囲
【補正対象項目名】全文
【補正方法】変更
【補正の内容】
【実用新案登録請求の範囲】
【請求項１】
時計の時刻表示盤であって、
時を表す表示部および分を表す表示部を略中央部分に備え、
前記時を表す表示部および分を表す表示部の周囲に、それぞれ異なる複数の静止画及び／又は動画と、当該静止画及び／又は動画のそれぞれが対応する時及び分とを表示する表示部を備え、
前記時を表す表示部に、表示する時刻の時に対応する静止画又は動画と同一の静止画又は動画を表示し、
前記分を表す表示部に、表示する時刻の分に対応する静止画又は動画と同一の静止画又は動画を表示することにより時刻を表示することを特徴とする時刻表示盤。
【請求項２】
時計の時刻表示盤であって、
それぞれ異なる複数の静止画及び／又は動画と、当該静止画及び／又は動画のそれぞれが対応する時及び分とを表示する表示部を備え、
表示する時刻の時に対応する静止画及び／又は動画の周囲に一の色を有する枠を表示し、
表示する時刻の分に対応する静止画及び／又は動画の周囲に他の色を有する枠を表示することにより、時刻を表示することを特徴とする時刻表示盤。
【請求項３】
時計の時刻表示盤であって、
時を表す表示部および分を表す表示部を略中央部分に備え、
前記時を表す表示部および分を表す表示部の周囲に、それぞれ異なる複数の静止画及び／又は動画と、当該静止画及び／又は動画のそれぞれが対応する時及び分とを表示する表示部を備え、
前記時を表す表示部に、表示する時刻の時に対応する静止画又は動画と同一の静止画又は動画を表示し、
前記分を表す表示部に、表示する時刻の分に対応する静止画又は動画と同一の静止画又は動画を表示するとともに、
表示する時刻の時に対応する静止画及び／又は動画の周囲に一の色を有する枠を表示し、
表示する時刻の分に対応する静止画及び／又は動画の周囲に他の色を有する枠を表示することにより、時刻を表示することを特徴とする時刻表示盤。
【手続補正３】
【補正対象書類名】図面
【補正対象項目名】図１
【補正方法】変更
【補正の内容】
【図１】
0003123475.tif 000005
【手続補正４】
【補正対象書類名】図面
【補正対象項目名】図２
【補正方法】変更
【補正の内容】
【図２】
0003123475.tif 000006